【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
実写画像群によって構成される仮想空間内でアノテーションを表示可能な画像再生装置による画像再生方法であって、
取得手段が、実写画像中のオブジェクトに対するアノテーションと、該アノテーションを該オブジェクトの位置にかかわらず画像中の予め定められた位置に表示させる第１モードを実行すべき第１範囲と、該アノテーションを該オブジェクトと少なくとも一部が重なる位置に表示させる第２モードを実行すべき第２範囲とを視点位置の移動経路に沿って規定する規定情報とを含むアノテーション情報を取得する取得工程と、
判定手段が、前記移動経路に沿った視点位置の移動に応じて前記実写画像群を再生する間、該視点位置が前記第１範囲もしくは前記第２範囲にあるかを判定する判定工程と、
制御制御手段が、前記オブジェクトのアノテーションを、前記判定工程により前記視点位置が前記第１範囲にあると判定された場合は前記第１モードで表示させ、前記第２範囲にあると判定された場合は前記第２モードで表示させる表示制御工程とを備えることを特徴とする画像再生方法。
【請求項２】
前記アノテーション情報に含まれる前記規定情報は、更に前記移動経路上の前記第１範囲と前記第２範囲との間に設定された第３範囲を規定し、ここで、該第３範囲は前記第１モードによるアノテーションの表示位置から前記第２モードによる表示位置へアノテーションの表示位置を視点位置の移動に従って移動させる第３モードを実行すべき範囲であり、
前記判定工程では、前記視点位置が前記第３範囲にあるか否かを更に判定し、
前記表示制御工程では、前記第３範囲に視点位置が存在する場合には、前記第３モードにより前記アノテーションの表示位置を決定して表示させることを特徴とする請求項１に記載の画像再生方法。
【請求項３】
前記表示制御工程では、前記第１モードと前記第２モードとで、前記アノテーションの表示形態を変更させることを特徴とする請求項１又は２に記載の画像再生方法。
【請求項４】
前記表示制御工程では、前記第１モードにおいて、前記視点位置と前記オブジェクトとの距離に基づいて前記アノテーションの表示形態を変更させることを特徴とする請求項１又は２に記載の画像再生方法。
【請求項５】
前記表示制御工程では、前記第１モードにおいて、アノテーション表示中にオブジェクトへ到達するための経路案内を表示させることを特徴とする請求項１又は２に記載の画像再生方法。
【請求項６】
前記表示制御工程では、前記第１モードで表示すべきアノテーションが複数存在する場合に、オブジェクトの位置が仮想空間内の観察者の位置に近い順に手前からアノテーションを表示させ、ユーザ操作によって表示するアノテーションを順次切り替えて表示させることを特徴とする請求項１又は２に記載の画像再生方法。
【請求項７】
実写パノラマ画像群によって構成される仮想空間内でアノテーションを表示可能な画像再生装置による画像再生方法において、
アノテーション表示位置決定手段が、観察者の位置においてアノテーションを表示するオブジェクトが視界に入る状態では該オブジェクトとアノテーションの少なくとも一部が重なる位置を第１のアノテーション表示位置とし、視界に入らない状態では観察者の進行方向を第２のアノテーション表示位置とし、前記第１のアノテーション表示位置と前記第２のアノテーション表示位置との切り替え時においては、観察者の位置の変化に応じてアノテーション位置が、前記第１のアノテーション表示位置と前記第２のアノテーション表示位置の間を移動するように、補間によってアノテーション表示位置を決定するアノテーション表示位置決定工程を備える画像再生方法。
【請求項８】
進行方向正面に表示されるアノテーションが複数存在する場合、仮想空間内の観察者の位置に最も近いオブジェクトのアノテーションを手前に表示し、ユーザ操作によってアノテーションを順次切り替えて表示することを特徴とする請求項７に記載の画像再生方法。
【請求項９】
前記アノテーション表示位置決定工程は、
仮想空間内における観察者とアノテーションを表示するオブジェクトとの距離に応じて、アノテーションの表示形態を決定することを特徴とする請求項７に記載の画像再生方法。
【請求項１０】
前記アノテーションの表示形態は、前記観察者とアノテーションを表示するオブジェクトとの距離に応じてアノテーションの形状、透明度、大きさのうち少なくとも一つが変化することを特徴とする請求項９に記載の画像再生方法。
【請求項１１】
前記アノテーションの表示形態には、仮想空間内における現在位置から該オブジェクトに到達するまでのガイド情報を付与することを特徴とする請求項９または１０に記載の画像再生方法。
【請求項１２】
実写画像群によって構成される仮想空間内でアノテーションを表示可能な画像再生装置であって、
実写画像中のオブジェクトに対するアノテーションと、該アノテーションを該オブジェクトの位置にかかわらず画像中の予め定められた位置に表示させる第１モードを実行すべき第１範囲と、該アノテーションを該オブジェクトと少なくとも一部が重なる位置に表示させる第２モードを実行すべき第２範囲とを視点位置の移動経路に沿って規定する規定情報とを含むアノテーション情報を保持する保持手段と、
前記移動経路に沿った視点位置の移動に応じて前記実写画像群を再生する間、該視点位置が前記第１範囲もしくは前記第２範囲にあるかを判定する判定手段と、
前記オブジェクトのアノテーションを、前記判定手段により前記視点位置が前記第１範囲にあると判定された場合は前記第１モードで表示させ、前記第２範囲にあると判定された場合は前記第２モードで表示させる表示制御手段とを備えることを特徴とする画像再生装置。
【請求項１３】
請求項１乃至１１のいずれか１項に記載の画像再生方法をコンピュータによって実現させるための制御プログラムを格納する記憶媒体。
【請求項１４】
請求項１乃至１１のいずれか１項に記載の画像再生方法をコンピュータによって実現させるための制御プログラム。
【手続補正２】
【補正対象書類名】明細書
【補正対象項目名】０００９
【補正方法】変更
【補正の内容】
【０００９】
上記の目的を達成するための本発明による画像再生方法は、
実写画像群によって構成される仮想空間内でアノテーションを表示可能な画像再生装置による画像再生方法であって、
取得手段が、実写画像中のオブジェクトに対するアノテーションと、該アノテーションを該オブジェクトの位置にかかわらず画像中の予め定められた位置に表示させる第１モードを実行すべき第１範囲と、該アノテーションを該オブジェクトと少なくとも一部が重なる位置に表示させる第２モードを実行すべき第２範囲とを視点位置の移動経路に沿って規定する規定情報とを含むアノテーション情報を取得する取得工程と、
判定手段が、前記移動経路に沿った視点位置の移動に応じて前記実写画像群を再生する間、該視点位置が前記第１範囲もしくは前記第２範囲にあるかを判定する判定工程と、
制御制御手段が、前記オブジェクトのアノテーションを、前記判定工程により前記視点位置が前記第１範囲にあると判定された場合は前記第１モードで表示させ、前記第２範囲にあると判定された場合は前記第２モードで表示させる表示制御工程とを備える。
【手続補正３】
【補正対象書類名】明細書
【補正対象項目名】００１０
【補正方法】変更
【補正の内容】
【００１０】
また、上記の目的を達成するための本発明による画像再生装置は以下の構成を備える。すなわち、
実写画像群によって構成される仮想空間内でアノテーションを表示可能な画像再生装置であって、
実写画像中のオブジェクトに対するアノテーションと、該アノテーションを該オブジェクトの位置にかかわらず画像中の予め定められた位置に表示させる第１モードを実行すべき第１範囲と、該アノテーションを該オブジェクトと少なくとも一部が重なる位置に表示させる第２モードを実行すべき第２範囲とを視点位置の移動経路に沿って規定する規定情報とを含むアノテーション情報を保持する保持手段と、
前記移動経路に沿った視点位置の移動に応じて前記実写画像群を再生する間、該視点位置が前記第１範囲もしくは前記第２範囲にあるかを判定する判定手段と、
前記オブジェクトのアノテーションを、前記判定手段により前記視点位置が前記第１範囲にあると判定された場合は前記第１モードで表示させ、前記第２範囲にあると判定された場合は前記第２モードで表示させる表示制御手段とを備える。